(57)【要約】【課題】梱包された配線体の絡まりや傷つきを防止して配線体の取扱い性、品質及び梱包の作業能率を高めることができる配線体梱包具を提供する。【解決手段】配線体１を被包するプラスチック材料、紙材料等で作られた薄肉で可撓性を有する複数枚の被包用シート１７と、複数枚の被包用シート１７を重ね合わせて各シート１７をめくって開くことができるように各一端縁を綴じ合わせる綴じ部１９とを有し、任意の被包用シート１７、１７間に前記配線体１をはさみ込んで収納する冊子状の配線体収納部材１５を備え、前記配線体収納部材１５をプラスチック材料、紙材料等で作られた梱包容器である保持部材２１で保持してなる。【選択図】　　　　図１
2004001875.tif 000002
【特許請求の範囲】
【請求項１】
配線体を被包する複数枚の被包用シートと、複数枚の被包用シートを重ね合わせて各シートをめくって開くことができるように各一端縁を綴じ合わせる綴じ部とを有し、任意の被包用シート間に前記配線体をはさみ込んで収納する冊子状の配線体収納部材を備えることを特徴とする配線体梱包具。
【請求項２】
前記配線体収納部材を構成する複数枚の被包用シートの少なくとも一枚の表面色が他の被包用シートの表面色と異なることを特徴とする請求項１記載の配線体梱包具。
【請求項３】
前記異なる表面色である被包用シートが最後から二枚目の被包用シートであることを特徴とする請求項２記載の配線体梱包具。
【請求項４】
前記配線体収納部材を保持部材で保持してなることを特徴とする請求項１、２又は３記載の配線体梱包具。
【請求項５】
前記保持部材が配線体収納部材を収容する梱包容器からなることを特徴とする請求項４記載の配線体梱包具。
【請求項６】
前記配線体収納部材を前記梱包容器内に予め収容してなることを特徴とする請求項５記載の配線体梱包具。
【発明の詳細な説明】
【０００１】
【発明の属する技術分野】
本発明は自動車その他の車両に配索されるワイヤーハーネスを構成する配線体を梱包するのに好適な配線体梱包具に関するものである。
【０００２】
【従来の技術】
自動車その他の車両に配索されるワイヤーハーネスを構成する配線体としては、例えば、複数のＦＦＣ、ＦＰＣ等のフラット配線材が所定の配線パターンに応じて分岐、折り曲げ等して平面状に広げた状態に形成し、配線材の先端部分に電装品、機器等と接続されるコネクタ、端子等の接続部品や分岐部分に分岐接続部品を設ける等して構成される。この配線体は工場等で製造した後、出荷のために梱包される。従来、この配線体の梱包はポリエチレン、ポリ塩化ビニール製等の容器（コンテナ）内に積み重ねて収納することにより行われている。
【０００３】
また、例えば、段積み可能な偏平なケースの表面に、平面状に広げた状態のワイヤーハーネスと同形状に形成され、該ワイヤーハーネスを収容する深さを有する収納溝を形成し、該ケースの周縁部の複数箇所に、段積みされたときに上下に隣接するケースを相互に係合する位置決め部材を設けたワイヤーハーネス用梱包ケースも提案されている（特許文献１参照）。
【０００４】
【特許文献１】
特開平１１−１９８９４２号公報（特許請求の範囲（請求項１）及び図１）
【０００５】
【発明が解決しようとする課題】
このような配線体は平面状に広げた状態に形成されており、通常、１個の容器内に１０個程度積み重ねて詰め込み梱包される場合が多い。また、この配線体は可撓性を有すると共に蛸足形状になっていて横方向に張っている。このため、配線体を容器内で上下方向にたくさん積み重ねて詰め込むと、梱包された配線体同士が絡まり易く、配線体の分離に手数を要する等して取扱い性が悪くなる問題があった。また、配線体同士が梱包中にじかに接触するため、梱包された配線体が傷つき易く、品質を低下させる問題があった。更に配線体の絡まりや傷つきを防止するため、配線体を梱包する際、配線体の積み重ね状態、位置及び方向等に気を配りながら梱包する必要があり、配線体の梱包に時間がかかり、梱包の作業能率が低下する問題があった。
【０００６】
また、特許文献１に記載されたワイヤーハーネス用梱包ケースを用いて配線体を梱包すると、配線体の絡まりや傷つきが減少して取り扱い性が向上するが、配線体をケースに収容して梱包するたびに、配線体が収容された該ケースを下段に配置されたケースの上に截置し、位置決め部材で位置合わせして相互に係合しなければならないため、配線体の梱包作業が煩雑になり、作業能率が悪くなるという問題があった。
【０００７】
本発明は上記課題を解決し、梱包された配線体の絡まりや傷つきを防止して取扱い性及び品質を向上させ、更に梱包の作業能率を高めることができる配線体梱包具を提供することを目的とするものである。
【０００８】
【課題を解決するための手段】
上記目的を達成するため、本発明の請求項１に記載された配線体梱包具は、配線体を被包する複数枚の被包用シートと、複数枚の被包用シートを重ね合わせて各シートをめくって開くことができるように各一端縁を綴じ合わせる綴じ部とを有し、任意の被包用シート間に前記配線体をはさみ込んで収納する冊子状の配線体収納部材を備えることを特徴とするものである。
【０００９】
このような構成により、配線体収納部材の被包用シート間に収納された複数の配線体間に被包用シートが介在されて配線体同士がじかに接触しなくなり、梱包された配線体同士が絡まるのを防止できる。従って、配線体を配線体収納部材の被包用シートをめくって、容易、且つ、円滑に取り出して梱包を解くことができ、配線体の取扱い性が向上して配線体の配線作業を速やかに行うことができる。
【００１０】
また、配線体同士が梱包中にじかに接触しなくなるため、梱包された配線体が傷つくようなことがなくなり、良好な品質を維持することができる。
【００１１】
更に、配線体収納部材の被包用シートをめくって、対向する被包用シート間に配線体を綴じ部に向けて挿入するようにはさみ込んで収納するので、配線体の座りが安定し、配線体の積み重ね状態、位置及び方向等に気を配りながら収納する必要がなくなる。また、被包用シートが予め綴じ部で固定されているため、配線体の収納時に被包用シートが位置ずれを起こさず、配線体を収納するたびに、対向する被包用シートを位置合わせして固定する必要がなくなる。従って、配線体を迅速、容易に梱包することが可能になり、配線体の梱包時間が短縮され、梱包の作業能率を向上させることができる。
【００１２】
本発明の請求項２に記載された配線体梱包具は、請求項１記載のものにおいて、前記配線体収納部材を構成する複数枚の被包用シートの少なくとも一枚の表面色が他の被包用シートの表面色と異なることを特徴とするものである。
【００１３】
このような構成によると、異なる表面色の被包用シートを目印として、収納されている配線体のロットの変わり目、既に取り出した配線体の数量等に関し、適宜配線体の取り出し作業を行う者の注意を喚起して、取り出し作業のミスを防止することができるので好ましい。
【００１４】
本発明の請求項３に記載された配線体梱包具は、請求項２記載のものにおいて、前記異なる表面色である被包用シートが最後から二枚目の被包用シートであることを特徴とするものである。
【００１５】
このような構成によると、最後から二枚目の被包用シート、即ち、最後の配線体の上に被さっている被包用シートの表面色が他の被包用シートの表面色と異なるため、前記表面色の異なる被包用シートをめくるまでは、全ての配線体を取り出してはいないと容易に認識することができ、配線体の取り残しのミスを有効に防止することができるので好ましい。
【００１６】
本発明の請求項４に記載された配線体梱包具は、請求項１、２又は３記載のものにおいて、前記配線体収納部材を保持部材で保持してなることを特徴とするものである。
【００１７】
このような構成によると、配線体がよりしっかり梱包され、配線体の運搬及び保管をより安全、確実に行うことができるので好ましい。
【００１８】
本発明の請求項５に記載された配線体梱包具は、請求項４記載のものにおいて、前記保持部材が配線体収納部材を収容する梱包容器からなることを特徴とするものである。
【００１９】
このような構成によると、配線体の梱包及び取出しがより容易になるほか、配線体収納部材の内部に塵埃や水分、湿気が侵入しにくくなり、配線体の長期保管が容易になるので好ましい。
【００２０】
本発明の請求項６に記載された配線体梱包具は、請求項５記載のものにおいて、前記配線体収納部材を前記梱包容器内に予め収容してなることを特徴とするものである。
【００２１】
このような構成によると、配線体収納部材に配線体を収納する際、梱包容器を配線体収納部材の支持台として利用することができるほか、配線体を配線体収納部材に収納した後、この収納部材を梱包容器内に収容する手間が省け、梱包の作業性を向上させることができるので好ましい。
【００２２】
【発明の実施の形態】
次に本発明の実施形態を図面により詳細に説明する。図１は本発明の基本的実施形態を示す配線体梱包具の概要図である。梱包の対象である配線体１としては種々の構成のものがあるが、例えば、図１に示すように、ＦＦＣ、ＦＰＣ等のフラット配線材である２本の幹線３と、所定の配線パターンに応じてこれら幹線３から分岐コネクタ５により分岐されるＦＦＣ、ＦＰＣ等のフラット配線材である２本の分岐線７と、これら幹線３の一方側の各端部に一括して接続される共通一個のコネクタ９と、これら幹線３の他方側の１本が前記パターンに応じて９０度方向に折り曲げられ、他方側の各端部に独立して接続される接続用端子１１と、前記分岐線７の各先端部に独立して接続される接続用端子１３とで平面状に広げた状態に形成されたフラット配線体である。なお、幹線３及び分岐線７は適宜個所でテープ巻回等により結束され、分離、垂下等しないように処理されている。
【００２３】
本実施形態の配線体梱包具は図１に示すような配線体収納部材１５を備えている。この配線体収納部材１５は、配線体１を被包し得る大きさで矩形状を有し、表面色が同色の複数枚の被包用シート１７と、複数枚の被包用シート１７を同一方向に重ね合わせて各シート１７をめくって開くことができるように、各一端縁を図示のように連続的に、又は図示しないが適宜間隔をおいて部分的に綴じ合わせる綴じ部１９とを有し、前記配線体１を任意の被包用シート１７、１７の各他端縁を開いて、これらシート１７、１７間に挿入し、はさみ込んで収納し得るように冊子状に形成されている。
【００２４】
被包用シート１７は、例えば、透明、半透明又は不透明なポリ塩化ビニール、ポリエチレン、ポリプロピレン、ナイロン等のプラスチック材料、若しくは、クラフト紙等の紙材料、繊維布材料、アルミニウム等の金属材料、又は、これらの複合材料で作られた薄肉で可撓性を有するシート（フイルムを含む）で形成される。また各被包用シート１７の一端縁を綴じ合わせる綴じ部１９は、接着剤による接着、熱又は超音波等による溶着、糸、紐、線材等による縫着、結着、緊縛、ねじ締着、コ字状弾性金具その他のクリップによる挟着等の綴じ合わせ手段からなり、被包用シートの材質、大きさ、枚数等に応じて適した綴じ合わせ手段のものが用いられる。
【００２５】
なお、２１は配線体１が被包用シート１７、１７間に収納された一又は複数の配線体収納部材１５を必要に応じて保持する保持部材であり、図１に示すものでは、配線体収納部材１５を収容するポリエチレン、ポリ塩化ビニール等のプラスチック材料、厚紙、段ボール紙等の紙材料、木材、金属材料等で作られた梱包容器（コンテナ）からなる。
【００２６】
本実施形態の配線体梱包具は上記のように構成されている。この梱包具を用いて配線体１を梱包する場合には、図２に示すように、配線体収納部材１５の一番下の被包用シート１７Ａを残して、他の複数枚の被包用シート１７Ｂ、１７Ｃ、１７Ｄ等をめくって開き、最後、即ち、一番下の被包用シート１７Ａとこれに対向する被包用シート１７Ｂとの間に最下段に収納する配線体１Ａを挿入して、これを被包用シート１７Ａの上に載置する。
【００２７】
次に、図３に示すように、この配線体１Ａの上に、めくられた被包用シート１７Ｂ乃至１７Ｄ等のうち、最後から二枚目、即ち、下から二番目に位置する被包用シート１７Ｂを閉じて被せ、被包用シート１７Ａ、１７Ｂ間に配線体１Ａをはさみ込んで収納する。次に、この被包用シート１７Ｂとめくられた被包用シート１７Ｃとの間に、下から二番目に収納する配線体１Ｂを挿入して、被包用シート１７Ｂの上に載置し、この上に下から三番目に位置する被包用シート１７Ｃを閉じて被せ、被包用シート１７Ｂ、１７Ｃ間に配線体１Ｂをはさみ込んで収納する。
【００２８】
次に、図４に示すように、この被包用シート１７Ｃとめくられた被包用シート１７Ｄとの間に、下から三番目に収納する配線体１Ｃを挿入して、被包用シート１７Ｃの上に載置し、この上に下から四番目に位置する被包用シート１７Ｄを閉じて被せ、被包用シート１７Ｃ、１７Ｄ間に配線体１Ｃをはさみ込んで収納する。以後、図示省略するが、同様にして被包用シート１７、１７間に配線体１をはさみ込んで収納し、一個の配線体収納部材１５に１０個程度の配線体１Ａ乃至１Ｃ等の配線体１を収納する。なお、配線体収納部材１５に収納する配線体１の個数は任意に選択することができる。
【００２９】
次に、配線体１が収納された配線体収納部材１５を必要に応じて保持部材２１である梱包容器内に収容し、蓋（図示省略）をして配線体１の梱包を終了する。配線体１の梱包終了後、出荷先等において、配線体１を使用等のために、配線体梱包具の梱包を解いて取り出す場合には、通常、配線体収納部材１５の被包用シート１７を上段側から順次めくって開き、被包用シート１７間に収納された配線体１を上方から順次取り出して使用等に供する。
【００３０】
本実施形態の配線体梱包具は上記構成の配線体収納部材１５を備えているので、配線体収納部材１５の被包用シート１７、１７間に収納された複数の配線体１間に被包用シート１７が介在されて配線体同士がじかに接触しなくなり、梱包された配線体１、１同士が相互に絡まるようなことがなくなる。従って、配線体１を配線体収納部材１５の被包用シート１７をめくって円滑に取り出すことが可能になり、配線体１の取扱い性が向上する。
【００３１】
また、配線体１、１同士が梱包中にじかに接触しなくなるため、梱包された配線体が傷つくようなことがなくなり、良好な品質を維持することができる。
【００３２】
更に、配線体収納部材１５の被包用シート１７をめくって、対向する被包用シート１７間に配線体１を綴じ部１９に向けて挿入するようにはさみ込んで収納するので、配線体１の座りが安定し、配線体１の積み重ね状態、位置及び方向等に気を配りながら収納する必要がなくなる。また、被包用シート１７が予め綴じ部１９で固定されているため、配線体１の収納時に被包用シート１７が位置ずれを起こさず、配線体１を収納するたびに、対向する被包用シート１７を位置合わせして固定する必要がなくなる。従って、配線体１を迅速、容易に梱包することが可能になり、配線体１の梱包時間が短縮され、梱包の作業能率を向上させることができる。
【００３３】
ところで、配線体収納部材１５から配線体１を取り出す場合、所要のロット、数量等の配線体１を確実に取り出すことができず、取り出し作業のミスをすることがある。このような場合には、配線体収納部材１５を構成する複数枚の被包用シート１７のうち、取り出すべき配線体１のロットの変わり目とか設定数量等に位置する被包用シート１７の少なくとも一枚の表面色（シート内部の色は表面色と同色でなくても可。以下同様）が他の被包用シート１７の表面色と異なるようにする。例えば、他の被包用シート１７の表面色が白色である場合には、赤、黄、緑、青色等であるようにする。
【００３４】
そうすると、異なる表面色の被包用シート１７を目印として、収納されている配線体１のロットの変わり目、既に取り出した配線体１の数量等に関し、適宜配線体１の取り出し作業を行う者の注意を喚起して、取り出し作業のミスを防止することができるので好ましい。
【００３５】
また、配線体梱包具に収納される配線体１が薄型である場合には、前記被包用シート１７を一枚ずつめくって配線体１を取り出すとき、配線体１の残り数量が少なくなったときに、被包用シート１７の下に配線体１が有るのか否かが目視で認識困難となる。よって、実際はまだ配線体１が残っているのに、全ての配線体１を取り出したと誤って認識し、取り残してしまうという取り出し作業のミスがすることがある。
【００３６】
このような場合には、前記異なる表面色である被包用シート１７が最後（一番下）から二枚目の被包用シート１７Ｂであるようにして、該被包用シート１７Ｂ、即ち、最後（一番下）の配線体１Ａの上に被さっている被包用シート１７Ｂの表面色が他の被包用シート１７Ｃ、１７Ｄ等の表面色と異なるようにする。例えば、被包用シート１７Ｂの表面色が白色の場合には、被包用シート１７Ｃ、１７Ｄ等の表面色が赤、黄、緑、青色等であるようにする。
【００３７】
そうすると、前記表面色の異なる被包用シート１７Ｂをめくるまでは、全ての配線体１を取り出してはいないと容易に認識することができ、配線体１の取り残しのミスを有効に防止することができるので好ましい。
【００３８】
更に、配線体１を収納する際、例えば、これら被包用シート１７Ａ、１７Ｂ、１７Ｃ、１７Ｄ等の前記綴じ部１９と反対側の他端縁の部位に一若しくは複数枚のシート毎に赤色、黄色等の色を施すか、或いは、一又は複数枚の被包用シート１７を赤色、黄色等の色のシートとし、各色毎に予め決められた異なる品番の配線体１を収納するようにしておくと、後で配線体収納部材１５から必要な品番の配線体１を速やかに取り出すことができるので好ましい。
【００３９】
更に、前記したように、配線体収納部材１５を保持部材２１で保持して梱包すると、配線体１がよりしっかり梱包され、配線体１の運搬及び保管をより安全、確実に行うことができるので好ましい。また、保持部材２１が梱包容器からなっていると、配線体１の梱包及び取出しがより容易になるほか、配線体収納部材１５の内部に塵埃や水分、湿気が侵入しにくくなり、配線体１の長期保管が容易になるので好ましい。
【００４０】
図５に示す配線体梱包具は、配線体収納部材１５を、これに配線体１を収納する前に、保持部材２１である梱包容器内に予め収容してなるものである。図示のものでは、例えば、該梱包容器の底壁２１Ａに角棒状の枕２３を設け、これに接着剤やねじ等で配線体収納部材１５を構成する被包用シート１７Ａ乃至１７Ｄ等のうち、一番下の被包用シート１７Ａを固定して、梱包容器内で配線体収納部材１５が容易に位置ずれを起こさないようにしてある。
【００４１】
このような配線体梱包具を用いて配線体１を梱包する場合には、図６に示すように、配線体収納部材１５の一番下の被包用シート１７Ａを残して、他の複数枚の被包用シート１７Ｂ、１７Ｃ、１７Ｄ等をめくって開き、一番下の被包用シート１７Ａとこれに対向する被包用シート１７Ｂとの間に最下段に収納する配線体１Ａを挿入して、被包用シート１７Ａの上に載置し、この配線体１Ａの上に、下から二番目に位置する被包用シート１７Ｂを閉じて被せ、被包用シート１７Ａ、１７Ｂ間に配線体１Ａをはさみ込んで収納する。
【００４２】
次に、この被包用シート１７Ｂとめくられた被包用シート１７Ｃとの間に、下から二番目に収納する配線体１Ｂを挿入して、被包用シート１７Ｂの上に載置し、この上に下から三番目に位置する被包用シート１７Ｃを閉じて被せ、被包用シート１７Ｂ、１７Ｃ間に配線体１Ｂをはさみ込んで収納する。以下先の実施形態の配線体梱包具による配線体１の梱包方法（図４参照）と同じようにして、配線体１Ｃ以下の梱包作業を行う。その説明は重複するので省略する。
【００４３】
この配線体梱包具のように、配線体収納部材１５を保持部材２１である梱包容器内に予め収容しておくことにより、配線体収納部材１５に配線体１を収納する際、梱包容器２１を配線体収納部材１５の支持台として利用することができるほか、配線体収納部材１５に配線体１を収納した後、この配線体収納部材１５を梱包容器２１内に収容する手間が省け、梱包の作業性を向上させることができるので好ましい。
【００４４】
なお、本発明の配線体梱包具で使用する保持部材２１は配線体収納部材１５を収容する梱包容器の例であるが、梱包用袋や配線体収納部材１５を被って収容する熱収縮性フイルム等のようなカバーでもよい。また、保持部材２１は、配線体収納部材１５を結束して押える紐、バンド、ワイヤ等の紐状体、又は、配線体収納部材１５の綴じ部１９の反対側の他端縁を把持する弾性クリップ等のようなものでもよい。
【００４５】
また、被包用シート１７の配線体１と接触する面に、シート同士の剥離が可能な感圧接着剤層を形成して配線体１の移動、脱落防止の効果を高めるようにすることも可能である。更に、両外側に配置される被包用シート１７を内側に配置される被包用シート１７よりも厚肉にしたり、強度を高くして剛性を持たせることにより、配線体１の保護性能が向上させるようにすることも可能である。このようなことから、配線体梱包具の使用状態によっては保持部材２１を省略することができる。
【００４６】
【発明の効果】
以上説明したように、本発明の請求項１に記載された配線体梱包具は、配線体を被包する複数枚の被包用シートと、複数枚の被包用シートを重ね合わせて各シートをめくって開くことができるように各一端縁を綴じ合わせる綴じ部とを有し、任意の被包用シート間に前記配線体をはさみ込んで収納する冊子状の配線体収納部材を備えて構成されるので、配線体収納部材の被包用シート間に収納された複数の配線体間に被包用シートが介在されて配線体同士がじかに接触しなくなり、梱包された配線体同士が絡まるのを防止できる。従って、配線体を配線体収納部材の被包用シートをめくって、容易、且つ、円滑に取り出して梱包を解くことができ、配線体の取扱い性が向上して配線体の配線作業を速やかに行うことができる。
【００４７】
また、配線体同士が梱包中にじかに接触しなくなるため、梱包された配線体が傷つくようなことがなくなり、良好な品質を維持することができる。
【００４８】
更に、配線体収納部材の被包用シートをめくって、対向する被包用シート間に配線体を綴じ部に向けて挿入するようにはさみ込んで収納するので、配線体の座りが安定し、配線体の積み重ね状態、位置及び方向等に気を配りながら収納する必要がなくなる。また、被包用シートが予め綴じ部で固定されているため、配線体の収納時に被包用シートが位置ずれを起こさず、配線体を収納するたびに、対向する被包用シートを位置合わせして固定する必要がなくなる。従って、配線体を迅速、容易に梱包することが可能になり、配線体の梱包時間が短縮され、梱包の作業能率を向上させることができる。
【００４９】
本発明の請求項２に記載された配線体梱包具は、前記配線体収納部材を構成する複数枚の被包用シートの少なくとも一枚の表面色が他の被包用シートの表面色と異なるものであり、このような構成によると、異なる表面色の被包用シートを目印として、収納されている配線体のロットの変わり目、既に取り出した配線体の数量等に関し、適宜配線体の取り出し作業を行う者の注意を喚起して、取り出し作業のミスを防止することができるので好ましい。
【００５０】
本発明の請求項３に記載された配線体梱包具は、前記異なる表面色である被包用シートが最後から二枚目の被包用シートであるものであり、このような構成によると、最後から二枚目の被包用シート、即ち、最後の配線体の上に被さっている被包用シートの表面色が他の被包用シートの表面色と異なるため、前記表面色の異なる被包用シートをめくるまでは、全ての配線体を取り出してはいないと容易に認識することができ、配線体の取り残しのミスを有効に防止することができるので好ましい。
【００５１】
本発明の請求項４に記載された配線体梱包具は、前記配線体収納部材を保持部材で保持してなるものであり、このような構成によると、配線体がよりしっかり梱包され、配線体の運搬及び保管をより安全、確実に行うことができるので好ましい。
【００５２】
本発明の請求項５に記載された配線体梱包具は、前記保持部材が配線体収納部材を収容する梱包容器からなるものであり、このような構成によると、配線体の梱包及び取出しがより容易になるほか、配線体収納部材の内部に塵埃や水分、湿気が侵入しにくくなり、配線体の長期保管が容易になるので好ましい。
【００５３】
本発明の請求項６に記載された配線体梱包具は、前記配線体収納部材を前記梱包容器内に予め収容してなるものであり、このような構成によると、配線体収納部材に配線体を収納する際、梱包容器を配線体収納部材の支持台として利用することができるほか、配線体を配線体収納部材に収納した後、この収納部材を梱包容器内に収容する手間が省け、梱包の作業性を向上させることができるので好ましい。
【図面の簡単な説明】
【図１】本発明の基本的実施形態を示す配線体梱包具の概要図である。
【図２】図１の配線体梱包具における配線体収納部材の最下段に配線体を収納する状態を示す説明図である。
【図３】図１の配線体梱包具における配線体収納部材の下から二番目まで配線体を収納する状態を示す説明図である。
【図４】図１の配線体梱包具における配線体収納部材の下から三番目に配線体を収納する状態を示す説明図である。
【図５】前記配線体収納部材を、これに配線体を収納する前に保持部材である梱包容器内に予め収容してなる配線体梱包具を示す概要図である。
【図６】図５の配線体梱包具における配線体収納部材の下から二番目まで配線体を収納する状態を示す説明図である。
【符号の説明】
１　　　配線体
１Ａ　　配線体
１Ｂ　　配線体
１Ｃ　　配線体
３　　　幹線
５　　　分岐コネクタ
７　　　分岐線
９　　　コネクタ
１１　　接続用端子
１３　　接続用端子
１５　　配線体収納部材
１７　　被包用シート
１７Ａ　被包用シート
１７Ｂ　被包用シート
１７Ｃ　被包用シート
１７Ｄ　被包用シート
１９　　綴じ部
２１　　保持部材
２１Ａ　底壁
２３　　枕
【図１】
2004001875.tif 000003
【図２】
2004001875.tif 000004
【図３】
2004001875.tif 000005
【図４】
2004001875.tif 000006
【図５】
2004001875.tif 000007
【図６】
2004001875.tif 000008